(57)【要約】【課題】複数ののぼりを配置することができるとともに、のぼりがめくれることなく、且つのぼりの表示面を見やすくすることができるのぼり用スタンドを提供する。【解決手段】支持台１に垂直に立設された支柱３の上部に少なくとも４本の上部アーム６ａが支柱３から外側に等間隔で放射状に設けられ、上部アーム６ａの先端にのぼり上部のちち９に通してのぼり上部を係止する上部のぼり係止部材５ａが固定されるとともに、支柱３の下部に少なくとも４本の下部アーム６ｂが上部アーム６ａに対向して支柱３から外側に等間隔で放射状に設けられ、下部アーム６ｂの先端にのぼり下部のちち９に通してのぼり下部を係止する下部のぼり係止部材５ｂが固定され、隣り合う上部アーム６ａの間と上部アーム６ａに対向する下部アーム６ｂとの間にのぼり２が周方向に取り付けられるのぼり用スタンド。【選択図】図３
2008276068.tif 000002
【特許請求の範囲】
【請求項１】
支持台に垂直に立設された支柱の上部に少なくとも４本の上部アームが支柱から外側に等間隔で放射状に設けられ、前記上部アームの先端にのぼり上部のちちに通してのぼり上部を係止する上部のぼり係止部材が固定されるとともに、支柱の下部に少なくとも４本の下部アームが前記上部アームに対向して前記支柱から外側に等間隔で放射状に設けられ、前記下部アームの先端にのぼり下部のちちに通してのぼり下部を係止する下部のぼり係止部材が固定され、隣り合う上部アームの間と上部アームに対向する下部アームとの間にのぼりが周方向に取り付けられることを特徴とするのぼり用スタンド。
【請求項２】
上部アームと下部アームのうち少なくとも上部アームに、風を受けてのぼりを、支柱を中心にして周方向に回転させる羽根が設けられることを特徴とする請求項１に記載ののぼり用スタンド。
【請求項３】
のぼり係止材が隣り合う上部アームと隣り合う下部アームの間の長さに分割されていることを特徴とする請求項１又は２に記載ののぼり用スタンド。
【発明の詳細な説明】
【技術分野】
【０００１】
本発明は、複数ののぼりを支持することができるのぼり用スタンドに関する。
【背景技術】
【０００２】
商店や車展示場などにおいて、商品の宣伝やサービス等を記載したのぼりが広告宣伝のために通行人などに見やすいように立てて使用されている。従来ののぼりは、のぼりの上部を支持する横方向の支持バーを支柱の上端部に回転支持具を介して取り付けられ、のぼりが風を受けると支持バーが支柱の軸線回りに回動するようになっている。
【０００３】
一本ののぼりでは、一枚ののぼり旗での表示となるので、宣伝の媒体として効率が悪いということから、広告効果が期待できる複数ののぼりを設けるのぼり支持具が提案されている。
【０００４】
例えば、特許文献１には、支柱の上端部と中間部の位置に、支柱の相反する両側に向けて突出する旋回アームをそれぞれ回転自在となるよう取り付け、支柱の両側で上下に対応する旋回アーム間にそれぞれのぼり旗を取り付けるようにし、二枚ののぼり旗で宣伝することができるのぼり旗支持装置が開示されている。
【０００５】
また、特許文献２には、少なくとも２本の円柱を垂設しうる嵌合孔を上面側に備えた台座に対して嵌挿使用される旗竿支持具として、屈曲した２本の円筒管と、両円筒管間に懸架される連結部材とから構成したものを用い、１個の台座において２本の幟旗類を略Ｖ字形に立てられるようにした旗竿支持具が開示されている。
【０００６】
また、特許文献３には、のぼりを取り付ける腕棒が竿本体の上端から３方向に延びるように構成したのぼり取り付け具が開示されている。
【特許文献１】特開２００４−１８４７５０号公報
【特許文献２】特開２００３−１５００９５号公報
【特許文献３】実開平７−３４１６４号公報
【発明の開示】
【発明が解決しようとする課題】
【０００７】
前記特許文献１ののぼり旗支持装置では、旗竿の両側に２本ののぼり旗を設けるだけであり、広告効果が期待できる２本を超える複数ののぼり旗を立てることができない。
【０００８】
また、前記引用文献２では、従来からののぼり旗の旗竿を略Ｖ字形の円筒管に差し込むものであり、従来ののぼり旗と同じく、風によりのぼり旗がめくれたり、舞い上がったりし、また、のぼり旗が傾いているので見映えがよくない。
【０００９】
また、前記引用文献３では、３枚ののぼりを取り付けることができるが、風によりのぼり旗がめくれたり、舞い上がったりし、また、のぼりの表示面が放射状に接近して取り付けられているため、見づらいという欠点がある。
【００１０】
そこで、本発明は、複数ののぼりを配置することができるとともに、のぼりがめくれることなく、且つのぼりの表示面を見やすくすることができるのぼり用スタンドを提供するものである。
【課題を解決するための手段】
【００１１】
本発明ののぼり用スタンドは、支持台に垂直に立設された支柱の上部に少なくとも４本の上部アームが支柱から外側に等間隔で放射状に設けられ、前記上部アームの先端にのぼり上部のちちに通してのぼり上部を係止する上部のぼり係止部材が固定されるとともに、支柱の下部に少なくとも４本の下部アームが前記上部アームに対向して前記支柱から外側に等間隔で放射状に設けられ、前記下部アームの先端にのぼり下部のちちに通してのぼり下部を係止する下部のぼり係止部材が固定され、隣り合う上部アームの間と上部アームに対向する下部アームとの間にのぼりが周方向に取り付けられることを特徴とする。
【００１２】
また、上部アームと下部アームのうち少なくとも上部アームにのぼりを支柱を中心にして周方向に回転させる、風を受ける羽根を設けてもよい。
【００１３】
また、のぼり係止部材が隣り合う上部アームと隣り合う下部アームの間の長さに分割したり、のぼり係止部材の支柱側には、間隔をおいてのぼりのちちの移動を防止するピンを設けたりしてもてもよい。
【発明の効果】
【００１４】
本発明ののぼりを取り付けたのぼり用スタンドは、複数ののぼりが配置されるので、多くの情報が表示される。また、表示面が正面を向くことになるので見やすくなり、宣伝効果を上げることができる。
【００１５】
また、のぼりの上下がのぼり係止部材に係止されているので、めくれたり、舞い上がったりすることがないので、見映えもよくなる。
【００１６】
また、羽根を設けることにより、羽根で風を受けると、のぼり用スタンドが回転して、正面に来るのぼりの表示が変わるので、移動することなく、あるいは手で回すことなく、４面ののぼりの表示をみることができる。
【発明を実施するための最良の形態】
【００１７】
本発明ののぼり用スタンドの実施例を図面により説明する。
【実施例１】
【００１８】
図１は本発明ののぼり用スタンドの斜視図、図２は本発明ののぼり用スタンドの組立分解図、図３は本発明ののぼり用スタンドののぼりを取り付けた斜視図である。
【００１９】
図１及び図２において、支持台１の中央には、複数ののぼり２を支持する支柱３の下端を立設するための支柱支持管４が形成されている。支柱３は、断面円形の樹脂製パイプを使用し、一本あるいは複数のパイプをつないで形成してもよい。
【００２０】
支柱３の上部には、のぼり２の上部を係止するためののぼり係止部材５ａを固定する複数の上部アーム６ａが等間隔で放射状に設けられる。また、支柱３の下部には、のぼり２の下部を係止するためののぼり係止部材５ｂを固定する複数の下部アーム６ｂが上部アーム６ａに対向して支柱３から外側に放射状に設けられる。アーム６ａ，６ｂには、断面円形の樹脂製パイプを使用する。アーム６ａ，６ｂは、本実施例では４本設けているが、５本あるいはそれ以上とすることにより、のぼりの巾は狭くなるが多くののぼり２を取り付けること可能となる。
【００２１】
アーム６ａ，６ｂは、支柱３に取り付けられるアーム取付リング７の係合突起８に差し込み可能にして組み立てやすくする。アーム取付リング７は、支柱３に固定、あるいは回転自在に設けてもよい。
【００２２】
それぞれのアーム６ａ，６ｂの先端に係止される上下ののぼり係止部材５ａ，５ｂは、のぼり２のちち９に通す長尺材からなる。のぼり係止部材５の端部どうしは、アーム６ａ，６ｂにねじこんだネジ１０を中心に回転しないように、コ字形の回転押さえ具１１で挟んでネジ止めすることが好ましい。のぼり係止部材５ａ，５ｂは、弾性を有する長尺の樹脂製板を用いる。なお、のぼり係止部材５ａ，５ｂは、本実施例では一本の長尺材を環状にしてアーム６ａ，６ｂの一端にネジで係止しているが、隣り合うアームの間の距離に分割し、１枚ののぼり２のちち９を分割したのぼり係止部材５ａ，５ｂに係止して、分割したのぼり係止部材５ａ，５ｂの両端をアーム６ａ，６ｂの先端にネジで固定する構造とすることにより、一部ののぼりの変更が容易になる。
【００２３】
のぼり係止部材５ａ，５ｂの支柱側には、間隔をおいてのぼり２のちち９が移動するのを防止するため、のぼり２のちち９をアーム６ａ，６ｂとの間で挟むピン１２が、組立後、アーム６を挟んでちち９が入る間隔で設けられる。
【００２４】
本実施例によるのぼり用スタンドの使用方法の一例について説明する。
【００２５】
上部アーム６ａをアーム取付リング７の係合突起８に差し込んで固定する。同様に、下部アーム６ｂもアーム取付リング７の係合突起８に差し込んで固定する。
【００２６】
組み立てた上部アーム６ａ及び下部アーム６ｂを支柱３に取り付け、この支柱３を支持台１の支柱支持管４に差し込んで立てる。
【００２７】
一方、複数ののぼり２は、のぼり２の上部及び下部のちち９を上下のそれぞれののぼり係止部材５ａ，５ｂに通して並べる。本実施例では４枚ののぼり２を並べる。
【００２８】
次いで、のぼり２を取り付けた上側ののぼり係止部材５ａを、上部アーム６ａの先端にネジ１０で固定していく。のぼり係止部材５ａの端部どうしは、コ字形の回転押さえ具１１で挟んでネジ止めする。同様にして、下側ののぼり係止部材５ｂを下部アーム６ｂの先端にネジ１０で固定し、のぼり係止部材５ｂの端部どうしをコ字形の回転押さえ具１１で挟んでネジ止めする。その後、のぼり２のちち９がアーム６ａ，６ｂとのぼり係止部材５ａ，５ｂのピン１２の間で挟むように整えて、のぼり２のちち９が風などで移動しないようにする。
【００２９】
なお、のぼり２のちち９をのぼり係止部材５ａ，５ｂに通さずに取り付けできるものは、のぼり係止部材５ａ，５ｂを先にアーム６ａ，６ｂに固定した後、のぼり２のちち９をのぼり係止部材５ａ，５ｂに取り付けるようにしてもよい。
【００３０】
こうしてのぼりを取り付けたのぼり用スタンドは、図３に示すように、４面に配置されたのぼりに複数の情報が表示され、また、表示面が正面を向くことになるので見やすくなり、宣伝効果を上げることができる。また、のぼりの上下がのぼり係止部材に係止されているので、風により下部がめくれたり、舞い上がったりすることがないので、見映えが悪くなることもない。
【実施例２】
【００３１】
本実施例は、のぼりを、風を利用して回転させるようにした実施例である。
【００３２】
図４は本発明によるのぼり用スタンドの別実施例を示す斜視図である。図１と同一部材には同一符号を付し、その説明は省略する。
【００３３】
図４において、実施例１と同様に、上部アーム６ａは、アーム取付リング７の係合突起８に差し込んで固定され、のぼり係止部材５ａは、上部アーム６ａの一端にネジ１０で係止されている。下部アームも、図示していないが、実施例１と同様に、アーム取付リングの係合突起に差し込んで固定され、のぼり係止部材は、下部アームの一端にネジで係止されている
上部アーム６ａには、風を受ける羽根１３が設けられる。羽根１３の形状、傾き及び配置は、風により回転する周知の羽根構造にすればよい。さらに、下部アームにも風を受ける羽根を設けてもよい。
【００３４】
本実施例では、羽根１３で風を受けると、のぼりが支柱廻りを回転して、正面に来る４面ののぼり２の表示が変わるので、移動することなく、あるいは手で回すことなく、４面ののぼり２をみることができる。
【図面の簡単な説明】
【００３５】
【図１】本発明ののぼり用スタンドの斜視図である。
【図２】本発明ののぼり用スタンドの組立分解図である。
【図３】本発明ののぼり用スタンドののぼりを取り付けた斜視図である。
【図４】本発明によるのぼり用スタンドの別実施例の斜視図である。
【符号の説明】
【００３６】
１：支持台
２：のぼり
３：支柱
４：支柱支持管
５ａ，５ｂ：のぼり係止部材
６ａ，６ｂ：アーム
７：アーム取付リング
８：係合突起
９：ちち
１０：ネジ
１１：回転押さえ具
１２：ピン
１３：羽根
【図１】
2008276068.tif 000003
【図２】
2008276068.tif 000004
【図３】
2008276068.tif 000005
【図４】
2008276068.tif 000006